(57)【要約】      （修正有）【課題】ウイルス・細菌を含む飛沫が、乳幼児の口や鼻に付着・侵入するのを防ぎ、シールドの着脱が容易で、安全な、おしゃぶり一体型フェイスシールドを提供する。【解決手段】おしゃぶり１の台座部１２にスリット１３を設けて、透明シート２をスリットに差し込むことで、透明シートの装着・脱着が可能とする。透明シート２は上部にへこみを有するハート型の形状で、使用者の鼻呼吸時、鼻上部から空気の流量を確保できる。透明シート２の上部に不織布２１を装着することで鼻上部からの飛沫物の侵入を防止できる。おしゃぶり１の台座部１２のスリットを湾曲させることで、透明シート２の装着時に、使用者の口・頬を覆う形で装着・保持される。【選択図】図１
0003230086.tif 000002
【実用新案登録請求の範囲】
【請求項１】
おしゃぶり、透明シートを有し、おしゃぶりの台座部に透明シートを脱着することができる、おしゃぶり一体型フェイスシールド
【請求項２】
上記おしゃぶりの台座部側面にスリットを有し、透明シートをスリットに差し込むことで固定する、若しくは、台座部に円形の２つの突起物を設けて透明シートに設けられた孔に差し込むことで固定する、いずれかの方法により容易に脱着することを可能とした、
請求項１に記載のおしゃぶり一体型フェイスシールド
【請求項３】
上記透明シートは、上部にくぼみがあるハート形の形状とする。この形状によって、使用者がおしゃぶりを咥えたとき、透明シートと鼻部分（上部）に隙間が形成され、鼻からの酸素吸入時に、一定の吸気量を確保させることができる、
請求項１または２に記載のおしゃぶり一体型フェイスシールド
【請求項４】
上記形状の透明シートの上部くぼみ部に不織布が接着されており、使用者の呼吸時に、透明シートの上部からのウイルス等を含む飛沫物の侵入を防ぐことができる、
請求項の１〜３のいずれかに記載のおしゃぶり一体型フェイスシールド
【請求項５】
上記おしゃぶりの台座部は、上部から見て、ゆるやかに湾曲したスリットが入っている、若しくは２つの突起部が湾曲した配置となっている。そのため台座に透明シートを装着したときに、透明シートが口・頬のまわりを覆う形で装着される、
請求項１〜４のいずれかに記載のおしゃぶり一体型フェイスシールド
【考案の詳細な説明】
【技術分野】
【０００１】      本考案は、おしゃぶりに透明シートを固定することで、ウイルス・細菌を含む飛沫物ならびに、使用者の指しゃぶりによる汚染物の付着から顔面を保護するためのフェイスシールドに関するものである。
【背景技術】
【０００２】  ウイルス・細菌を含む飛沫から顔面を保護するために様々なフェイスシールドが考案されている。特許文献１では、透明シートとヘッドバンドを一体化させたフェイスシールドが記載されている。特許文献２では、眼鏡型のフレームに透明シートを固定し、透明シートの旋回を可能としたフェイスシールドが記載されている。【０００３】  しかしながら、乳幼児が使用する場合、従来のフェイスシールドでは改善の余地がある。すなわち、従来のフェイスシールドを小型化して乳幼児のサイズに合わせたとしても、乳幼児特有の指しゃぶりなどにより、汚染物の体内への侵入を防止することはできない。また、フェイスシールドを頭部や耳などに固定することを忌避する乳幼児もおり、必要とする場所で、その役割を十分に発揮できない場合もある。フェイスシールドの代替手段としてマスクの着用がある。しかし、日本小児科学会において、乳幼児のマスク着用は、・呼吸が苦しくなり、窒息の危険がある。・嘔吐した場合にも、窒息する可能性がある、・熱がこもり、熱中症のリスクが高まる、・顔色、呼吸の状態など体調異変の発見が遅れる、などの危険性があることが提言されている。
【先行技術文献】
【特許文献】
【０００４】
【特許文献１】実用新案登録第３２２７５０１号公報
【特許文献２】実用新案登録第３２２７８４４号公報
【考案の概要】
【考案が解決しようとする課題】
【０００５】    近年、ＣＯＶＩＴ−１９の世界的感染拡大により、乳幼児においてもフェイスシールドやマスクなどを用いて、ウイルスを含む飛沫物の体内への侵入を阻止する必要性やニーズが高まってきている。しかしながら、既存のフェイスシールドやマスクでは、乳幼児において、成人と比べてウイルスを含む飛沫物の体内への侵入を十分に阻止することはできない。またマスクにおいては使用者の安全上のリスクも存在している。以上より、乳幼児において、従来のフェイスシールドと異なる構造のフェイスシールドの考案が必要であった。
【課題を解決するための手段】
【０００６】本考案者は、上記課題に対して、以下の考案１〜５により問題を解決することに成功した。
（考案１）
おしゃぶり、透明シートを有し、おしゃぶりの台座部分に透明シートを脱着することができる、おしゃぶり一体型フェイスシールド
（考案２）
上記おしゃぶりの台座部側面に、スリットを有し、透明シートをスリットに差し込むことで固定する、若しくは、台座部に円形の２つの突起物を設けて透明シートに設けられた孔に差し込むことで固定する、いずれかの方法により容易に脱着することを可能とした、
考案１に記載のおしゃぶり一体型フェイスシールド
（考案３）
上記透明シートは、ハート形の形状を有している。この形状によって、使用者がおしゃぶりを咥えたとき、透明シートと鼻部分（上部）に十分な隙間が形成され、鼻からの一定の吸気量を確保させることができる、
考案１または２に記載のおしゃぶり一体型フェイスシールド
（考案４）
上記形状の透明シートの上部くぼみ部に不織布が接着されており、使用者の呼吸時に、透明シートの上部からのウイルス等を含む飛沫物の侵入を防ぐことができる
考案１〜３のいずれかに記載のおしゃぶり一体型フェイスシールド
（考案５）
上記おしゃぶりの台座部は、上部から見て、ゆるやかに湾曲したスリットが入っている、又は２つの突起部が湾曲した配置となっている。そのため、台座に透明シートを装着したときに、透明シートが口・頬のまわりを覆う形で装着される、
考案１〜４のいずれかに記載のおしゃぶり一体型フェイスシールド
【考案の効果】
【０００７】本考案により、使用者は従来のフェイスシールドやマスクと同等以上に、汚染された飛沫物の口・鼻周辺部への付着を防ぐことができる。さらに、従来のフェイスシールドでは防げない、使用者の指しゃぶりによる汚染物の侵入・付着も防ぐことを可能とした。日本小児科学会において、乳幼児のマスク着用の危険性が提言されており、乳幼児のマスク着用は健康上のリスクが存在する。本考案はマスクの代替手段となりえると考えられる。従来のフェイスシールドやマスクは、顔面への保持のため、ヘッドバンドや眼鏡型のフレーム、ゴム等での耳への固定などの手段が用いられているが、いずれの手段も、乳幼児では不快であることが多く、装着を拒否するケースが少なくない。本考案では、上記の固定方法を利用せず、フェイスシールドの保持を可能とした。
【図面の簡単な説明】
【０００８】
【図１】本考案のおしゃぶり台座部に透明シートが装着された状態の１実例の側面図である。
【図２】本考案のおしゃぶり台座部に透明シートが装着された状態の１実例の側面図である。
【図３】図１に示す本考案の１実例における、透明シートの正面図である。
【図４】図２に示す本考案の１実例における、透明シートの正面図である。
【図５】図１に示す本考案の１実例における、おしゃぶりの三面図である。
【図６】図２に示す本考案の１実例における、おしゃぶりの三面図である。
【図７】図１のＡ矢視図である。
【図８】図２のＢ矢視図である。
【考案を実施するための形態】
【０００９】本考案のおしゃぶり一体型フェイスシールドは、おしゃぶり、透明シートより構成され、容易に脱着可能となる。
【００１０】本考案のフェイスシールドを構成する透明シートは、おしゃぶりに装着された状態では、使用者がおしゃぶりを咥えることで、口・鼻の周辺を覆う形で固定され、飛沫物の付着を防止する。透明シートの材質としては、透明なポリプロピレン・ポリエチレンテレフタレート等のプラスチックフィルムなどが使用される。形状は図３に示すように、上部にくぼみがあるハート形で、下部にはおしゃぶりの台座部のスリットに差し込むための切欠部がある。若しくは、図４に示すように、中央部に２つの孔がある
また、必要に応じて、上部のくぼみには不織布が接着されている。
【００１１】本考案のフェイスシールドを構成するおしゃぶりは、一般的なおしゃぶりの機能を有している。透明シートの固定には、図５に示す台座部のスリットに、図３の透明シートを挿入することで装着できる。また、別の方法として、図６に示す台座部に設けられた二つの突起部を、図４の透明シートの孔に差し込むことで装着する。図５のスリットを湾曲に形成すること、若しくは、図６の二つの突起を湾曲した配置にすることで、透明シートを装着した状態で台座部を上部から観察したとき、図７と図８に示す通り、透明シートが、顔面を覆う形で固定される。
【産業上の利用可能性】
【００１２】本考案のおしゃぶり一体型フェイスシールドは、乳幼児の使用を想定した場合、従来のフェイスシールドやマスクにおける課題を解決しうるものである。通常のおしゃぶりとしての機能も有することで家庭等の日常使用も可能で、電車や飛行機など公共交通機関・小児科などの医療機関等、感染リスクが高まる場では、透明シートを装着することでフェイスシールドとしての機能も発揮できる。よって、本考案は、ＣＯＶＩＤ−１９を含む飛沫物の顔面への付着の防止だけでなく、インフルエンザウイルス、ロタウイルスなど乳幼児で重症化しやすいウイルスの体内への侵入防止など利用価値は高い。
【符号の説明】
【００１３】１  おしゃぶり
２  透明シート
１１  ニップル
１２  台座
１３  スリット
１４  透明シート固定用突起部
２１  不織布
２２  透明シートの切欠部
２３  透明シートの孔
【図１】
0003230086.tif 000003
【図２】
0003230086.tif 000004
【図３】
0003230086.tif 000005
【図４】
0003230086.tif 000006
【図５】
0003230086.tif 000007
【図６】
0003230086.tif 000008
【図７】
0003230086.tif 000009
【図８】
0003230086.tif 000010
【手続補正書】
【提出日】令和2年10月15日(2020.10.15)
【手続補正１】
【補正対象書類名】実用新案登録請求の範囲
【補正対象項目名】全文
【補正方法】変更
【補正の内容】
【実用新案登録請求の範囲】
【請求項１】
おしゃぶり、透明シートを有し、おしゃぶりの台座部に透明シートを脱着できることを特徴とする、おしゃぶり一体型フェイスシールド。
【請求項２】
おしゃぶりと透明シートを容易に脱着するため、おしゃぶりの台座部側面にスリットを設けて、透明シートを台座部側面のスリットに差し込むことで固定する、
又はおしゃぶり台座部に円形の２つの突起物を設けて透明シートに設けられた孔に差し込むことで固定することを特徴とする、
請求項１に記載のおしゃぶり一体型フェイスシールド。
【請求項３】
透明シートと使用者の鼻部の間に隙間を設けることで一定の吸気量を確保させることを目的として、
上部にくぼみを設けたハート形の形状の透明シートとおしゃぶりを脱着できることを特徴とする、
請求項１または２に記載のおしゃぶり一体型フェイスシールド。
【請求項４】
透明シートと使用者の鼻部の隙間からのウイルス等を含む飛沫物の侵入を防ぐことを目的として、
上部のくぼみに不織布が接着されている透明シートとおしゃぶりを脱着できることを特徴とする、
請求項の１〜３のいずれかに記載のおしゃぶり一体型フェイスシールド
【請求項５】
透明シートが使用者の口・頬のまわりを覆う形で装着できることを目的として、
上部から見てゆるやかに湾曲したスリットを設けた台座部を有するおしゃぶりと透明シートを固定することができる、
又は台座部前面に２つの突起部を湾曲して配置したおしゃぶりと孔を設けた透明シートを固定することができることを特徴とする、
請求項１〜４のいずれかに記載のおしゃぶり一体型フェイスシールド。
【手続補正２】
【補正対象書類名】明細書
【補正対象項目名】０００６
【補正方法】変更
【補正の内容】
【０００６】本考案者は、上記課題に対して、以下の考案１〜５により問題を解決することに成功した。
（考案１）おしゃぶり、透明シートを有し、おしゃぶりの台座部に透明シートを脱着できることを特徴とする、おしゃぶり一体型フェイスシールド。
（考案２）おしゃぶりと透明シートを容易に脱着するため、おしゃぶりの台座部側面にスリットを設けて、透明シートを台座部側面のスリットに差し込むことで固定する、
又はおしゃぶり台座部に円形の２つの突起物を設けて透明シートに設けられた孔に差し込むことで固定することを特徴とする、
考案１に記載のおしゃぶり一体型フェイスシールド。
（考案３）透明シートと使用者の鼻部の間に隙間を設けることで一定の吸気量を確保させることを目的として、
上部にくぼみを設けたハート形の形状の透明シートとおしゃぶりを脱着できることを特徴とする、
考案１または２に記載のおしゃぶり一体型フェイスシールド。
（考案４）透明シートと使用者の鼻部の隙間からのウイルス等を含む飛沫物の侵入を防ぐことを目的として、
上部のくぼみに不織布が接着されている透明シートとおしゃぶりを脱着できることを特徴とする、
考案１〜３のいずれかに記載のおしゃぶり一体型フェイスシールド
（考案５）透明シートが使用者の口・頬のまわりを覆う形で装着できることを目的として、
上部から見てゆるやかに湾曲したスリットを設けた台座部を有するおしゃぶりと、透明シートを固定することができる、
又は台座部前面に２つの突起部を湾曲して配置したおしゃぶりと、孔を設けた透明シートを固定することができることを特徴とする、
考案１〜４のいずれかに記載のおしゃぶり一体型フェイスシールド。